(57)【要約】【課題】遊技場内で背景音楽とアナウンスとを明瞭に拡声する。【解決手段】背景音楽（ＢＧＭ）の信号を拡声するために第１指向角度α°に設定されたＢＧＭ用スピーカ１１と、アナウンスの信号を拡声するために第１指向角度α°よりも狭い第２指向角度β°に設定されたアナウンス用スピーカ１２とを一つのスピーカボックス１３内に取り付けて遊技場スピーカシステム１０が構成されており、複数の遊技機Ｐを遊技機基台ＵＢの長手方向に沿って組み付けた遊技機ユニットＰＵを遊技場Ｕ内に複数並列に配置して、各遊技機ユニットＰＵの天面ＰＵｔ上に遊技場スピーカシステム１０を設置した際に、とくに、遊技機Ｐの前に座っている人にアナウンスを明瞭に聴かせることができるように構成した遊技場スピーカシステム１０を提供する。【選択図】図１
2009125245.tif 000002
【特許請求の範囲】
【請求項１】
複数の遊技機を遊技機基台の長手方向に沿って組み付けた遊技機ユニットが複数並列に配置された遊技場内に設置され、背景音楽（ＢＧＭ）及びアナウンスを拡声する遊技場スピーカシステムであって、
第１指向角度の指向性を有し、前記背景音楽の信号を拡声するためのＢＧＭ用スピーカと、
前記第１指向角度よりも狭い角度である第２指向角度の指向性を有し、前記アナウンスの信号を拡声するためのアナウンス用スピーカと、
前記ＢＧＭ用スピーカの前面を取り付ける第１スピーカ取り付け面と、前記アナウンス用スピーカの前面を取り付ける第２スピーカ取り付け面とが隣接して形成されたスピーカボックスとを備え、
当該遊技場スピーカシステムを、前記遊技機ユニットの天面上であってこの遊技機ユニットに対応する遊技機基台の長手方向の一側端側の設置位置に設置させた場合に、前記ＢＧＭ用スピーカの中心を通り且つ前記第１スピーカ取り付け面と略直交する中心線と、前記アナウンス用スピーカの中心を通り且つ前記第２スピーカ取り付け面と略直交する中心線とがなす所定の角度が、前記遊技機ユニットの天面上の設置位置を通って前記長手方向の一側端側から他側端に向かう平行な直線と、前記設置位置と前記アナウンス用スピーカが対向する隣の遊技機ユニットの対向面側の他側端とを結ぶ直線とがなす角度に、前記アナウンス用スピーカの第２指向角度の半分の角度を加算して得られる角度になるようにしたことを特徴とする遊技場スピーカシステム。
【請求項２】
複数の遊技機を遊技機基台の長手方向に沿って組み付けた遊技機ユニットが複数並列に配置された遊技場内に設置され、背景音楽（ＢＧＭ）及びアナウンスを拡声する遊技場スピーカシステムであって、
第１指向角度の指向性を有し、前記背景音楽の信号を拡声するためのＢＧＭ用スピーカと、
前記第１指向角度よりも狭い角度である第２指向角度の指向性を有し、前記アナウンスの信号を拡声するためのアナウンス用スピーカと、
前記ＢＧＭ用スピーカの前面を取り付ける第１スピーカ取り付け面を有する第１スピーカボックスと、
前記アナウンス用スピーカの前面を取り付ける第２スピーカ取り付け面を有し、この第２スピーカ取り付け面が前記第１ピーカ取り付け面に対して交差するようにして前記第１スピーカボックスに積層される第２スピーカボックスとを備え、
当該遊技場スピーカシステムを、前記遊技機ユニットの天面上であってこの遊技機ユニットに対応する遊技機基台の長手方向の一側端側の設置位置に設置させた場合に、前記ＢＧＭ用スピーカの中心を通り且つ前記第１スピーカ取り付け面と略直交する中心線と、前記アナウンス用スピーカの中心を通り且つ前記第２スピーカ取り付け面と略直交する中心線とがなす所定の角度が、前記遊技機ユニットの天面上の設置位置を通って前記長手方向の一側端側から他側端に向かう平行な直線と、前記設置位置と前記アナウンス用スピーカが対向する隣の遊技機ユニットの対向面側の他側端とを結ぶ直線とがなす角度に、前記アナウンス用スピーカの第２指向角度の半分の角度を加算して得られる角度になるようにしたことを特徴とする遊技場スピーカシステム。
【請求項３】
複数の遊技機を遊技機基台の長手方向に沿って組み付けた遊技機ユニットが複数並列に配置された遊技場内に設置され、背景音楽（ＢＧＭ）及びアナウンスを拡声する遊技場スピーカシステムであって、
第１指向角度の指向性を有し、前記背景音楽の信号を拡声するためのＢＧＭ用スピーカと、
前記第１指向角度よりも狭い角度である第２指向角度の指向性を有し、前記アナウンスの信号を拡声するためのアナウンス用スピーカと、
前記ＢＧＭ用スピーカの前面を取り付ける第１スピーカ取り付け面を有する第１スピーカボックスと、
前記アナウンス用スピーカの前面を取り付ける第２スピーカ取り付け面を有する第２スピーカボックスと、
前記第１及び第２スピーカ取り付け面に対して反対側に取り付けられて前記第１及び第２スピーカボックスを回動可能に連結させる軸とを備え、
当該遊技場スピーカシステムを、前記遊技機ユニットの天面上であってこの遊技機ユニットに対応する遊技機基台の長手方向の一側端側の設置位置に設置させた場合に、前記ＢＧＭ用スピーカの中心を通り且つ前記第１スピーカ取り付け面と略直交する中心線と、前記アナウンス用スピーカの中心を通り且つ前記第２スピーカ取り付け面と略直交する中心線とがなす所定の角度を、前記遊技機ユニットの天面上の設置位置を通って前記長手方向の一側端側から他側端に向かう平行な直線と、前記設置位置と前記アナウンス用スピーカが対向する隣の遊技機ユニットの対向面側の他側端とを結ぶ直線とがなす角度に、前記アナウンス用スピーカの第２指向角度の半分の角度を加算して得られる角度になるように、前記軸を中心に回動して設定したことを特徴とする遊技場スピーカシステム。
【請求項４】
複数の遊技機を遊技機基台の長手方向に沿って前面側及び背面側に組み付けた遊技機ユニットが複数並列に配置された遊技場内において、各遊技機ユニットの天面上に請求項１〜請求項３のいずれか１項記載の遊技場スピーカシステムを設置するための遊技場スピーカシステムの設置方法であって、
前記遊技場スピーカシステムを、前記各遊技機ユニットの天面上であって該遊技機ユニットに対応する遊技機基台の長手方向の一側端側に設置する場合には、前記ＢＧＭ用スピーカの中心線を前記各遊技機ユニットの長手方向の他側端側に向けると共に、前記アナウンス用スピーカの中心線をこのアナウンス用スピーカと対向する隣の遊技機ユニットの背面側に向ける一方、
前記遊技場スピーカシステムを、前記各遊技機ユニットの天面上であって前記長手方向の他側端側に設置する場合には、前記ＢＧＭ用スピーカの中心線を前記長手方向の一側端側に向けると共に、前記アナウンス用スピーカの中心線をこのアナウンス用スピーカと対向する隣の遊技機ユニットの前記前面側に向けて、前記各遊技機ユニット上の一側端側及び他側端側に前記遊技場スピーカシステムをアレイ状に設置することを特徴とする遊技場スピーカシステムの設置方法。
【発明の詳細な説明】
【技術分野】
【０００１】
本発明は、複数の遊技機を遊技機基台の長手方向に沿って組み付けた遊技機ユニットを複数並列に配置した遊技場内で、背景音楽（ＢＧＭ）の信号と、アナウンスの信号とをスピーカにより拡声する際に、とくに、遊技機の前に座っている人にアナウンスを明瞭に聴かせることができるように構成した遊技場スピーカシステム及び遊技場スピーカシステムの設置方法に関するものである。
【背景技術】
【０００２】
音声信号を拡声するためのスピーカシステムは、各種のオーディオ機器や、多数の人が集まる集会場や遊技場などで多用されている。
【０００３】
この種のスピーカシステムの一例として、アナウンスとＢＧＭが混合された信号からアナウンスとＢＧＭのレベルを各別に推定する装置がある（例えば、特許文献１参照）。
【０００４】
また、スピーカシステムの他例として、天井などに吊り下げられた少なくとも一以上のスピーカユニットから背景音楽の信号やアナウンスの信号を拡声するアーキテクチャの音増強システムがある（例えば、特許文献２参照）。
【０００５】
更に、従来の遊技場アナウンスシステムの一例として、遊技場内で背景音楽とアナウンスとをスピーカを介して拡声できるものがある（例えば、特許文献３参照）。
【０００６】
図１３は従来の遊技場アナウンスシステムを示した斜視図である。
【０００７】
図１３に示した従来の遊技場アナウンスシステム１００は、上記した特許文献３に開示されているものであり、ここでは特許文献３を参照して簡略に説明する。
【０００８】
図１３に示した如く、従来の遊技場アナウンスシステム１００では、遊技場Ｕ内にパチンコ台などの複数の遊技機Ｐを遊技機基台ＰＢの長手方向に沿って組み付けた遊技機ユニット（特許文献３では遊技機島と呼称）ＰＵが通路空間Ｓを挟んで複数並列に配置されており、且つ、複数の遊技機ユニットＰＵの上方に音源メモリ１０１と、アナウンス用コンピュータ１０２と、アンプ１０３と、スピーカ１０４とが設置されている。        
そして、アナウンス用コンピュータ１０２に、各遊技機Ｐに対応するキャラクタ音声で記録された台番号やアナウス情報を音源メモリ１０１から選択させて、アンプ１０３を介してスピーカ１０４を通じて遊技場Ｕ内のフロアにアナウンスしたり、また、アナウンス用コンピュータ１０２に、音源メモリ１０１に格納された背景音楽を選択させて、アンプ１０３を介してスピーカ１０４から拡声している。
【０００９】
【特許文献１】特開平１０−２０７４９３号公報
【特許文献２】特開２００３−２１６１６４号公報
【特許文献３】特開２００１−７２８号公報
【発明の開示】
【発明が解決しようとする課題】
【００１０】
ところで、特許文献１に開示されたアナウンスとＢＧＭが混合された信号からアナウンスとＢＧＭのレベルを各別に推定する装置では、ここでの図示を省略するが、アナウンスの信号とＢＧＭの信号とを混合したときに、複数の回路構成部材によりＢＧＭのレベルが大きすぎてアナウンスが聴きにくくなる現象を未然に防止できるように構成されているものの、複数の回路構成部材を必要とするために装置が複雑となる。また、アナウンスの信号とＢＧＭの信号とを一つのスピーカで拡声するために、このスピーカ内に設けた一つのボイスコイルで二種類の入力信号を再生することになるために、コーン紙の正確な動作追従が難しくなり、この結果、ＢＧＭ音が明瞭に再生できなくなると共に、正確で歪み感の少ないアナウンス音の再生が困難になるなどの問題がある。
【００１１】
また、特許文献２に開示されたアーキテクチャの音増強システムでは、ここでの図示を省略するが、天井などに吊り下げられた少なくとも一以上のスピーカユニットから背景音楽の信号やアナウンスの信号を拡声するので、背景音楽及びアナウンスは室内全体に拡声できるものの、室内の残響などによりアナウンスが明瞭に聴き取れない場合が起こり得ると共に、アナウンスを必要とする人のみに知らせることができないので、アナウンスを必要としない人には耳ざわりになってしまうなどの問題がある。
【００１２】
更に、特許文献３に開示された従来の遊技場アナウンスシステム１００では、遊技場Ｕ内で先に図１３を用いて説明したような音源メモリ１０１と、アナウンス用コンピュータ１０２と、アンプ１０３と、スピーカ１０４とにより、背景音楽の信号とアナウンスの信号とを混合することなく、両者をスピーカ１０４から遊技場Ｕ内のフロア全体に拡声しているが、遊技機Ｐの前に座っている人に対してアナウンスを聴かせたいもののフロア全体に拡声してしまうので、遊技機Ｐの前に座っている人に明瞭に聴かせることができないと共に、アナウンスを必要としない人には耳ざわりになってしまうなどの問題がある。
【００１３】
そこで、本発明は上記問題に鑑みてなされたものであり、複数の遊技機を遊技機基台の長手方向に沿って組み付けた遊技機ユニットを複数並列に配置した遊技場内で、背景音楽の信号と、アナウンスの信号とをスピーカにより拡声する際に、とくに、遊技機の前に座っている人にアナウンスを明瞭に聴かせることができるように構成した遊技場スピーカシステム及び遊技場スピーカシステムの設置方法を提供することを目的とする。
【課題を解決するための手段】
【００１４】
本発明は上記課題に鑑みてなされたものであり、第１の発明は、複数の遊技機を遊技機基台の長手方向に沿って組み付けた遊技機ユニットが複数並列に配置された遊技場内に設置され、背景音楽（ＢＧＭ）及びアナウンスを拡声する遊技場スピーカシステムであって、
第１指向角度の指向性を有し、前記背景音楽の信号を拡声するためのＢＧＭ用スピーカと、
前記第１指向角度よりも狭い角度である第２指向角度の指向性を有し、前記アナウンスの信号を拡声するためのアナウンス用スピーカと、
前記ＢＧＭ用スピーカの前面を取り付ける第１スピーカ取り付け面と、前記アナウンス用スピーカの前面を取り付ける第２スピーカ取り付け面とが隣接して形成されたスピーカボックスとを備え、
当該遊技場スピーカシステムを、前記遊技機ユニットの天面上であってこの遊技機ユニットに対応する遊技機基台の長手方向の一側端側の設置位置に設置させた場合に、前記ＢＧＭ用スピーカの中心を通り且つ前記第１スピーカ取り付け面と略直交する中心線と、前記アナウンス用スピーカの中心を通り且つ前記第２スピーカ取り付け面と略直交する中心線とがなす所定の角度が、前記遊技機ユニットの天面上の設置位置を通って前記長手方向の一側端側から他側端に向かう平行な直線と、前記設置位置と前記アナウンス用スピーカが対向する隣の遊技機ユニットの対向面側の他側端とを結ぶ直線とがなす角度に、前記アナウンス用スピーカの第２指向角度の半分の角度を加算して得られる角度になるようにしたことを特徴とする遊技場スピーカシステムである。
【００１５】
また、第２の発明は、複数の遊技機を遊技機基台の長手方向に沿って組み付けた遊技機ユニットが複数並列に配置された遊技場内に設置され、背景音楽（ＢＧＭ）及びアナウンスを拡声する遊技場スピーカシステムであって、
第１指向角度の指向性を有し、前記背景音楽の信号を拡声するためのＢＧＭ用スピーカと、
前記第１指向角度よりも狭い角度である第２指向角度の指向性を有し、前記アナウンスの信号を拡声するためのアナウンス用スピーカと、
前記ＢＧＭ用スピーカの前面を取り付ける第１スピーカ取り付け面を有する第１スピーカボックスと、
前記アナウンス用スピーカの前面を取り付ける第２スピーカ取り付け面を有し、この第２スピーカ取り付け面が前記第１ピーカ取り付け面に対して交差するようにして前記第１スピーカボックスに積層される第２スピーカボックスとを備え、
当該遊技場スピーカシステムを、前記遊技機ユニットの天面上であってこの遊技機ユニットに対応する遊技機基台の長手方向の一側端側の設置位置に設置させた場合に、前記ＢＧＭ用スピーカの中心を通り且つ前記第１スピーカ取り付け面と略直交する中心線と、前記アナウンス用スピーカの中心を通り且つ前記第２スピーカ取り付け面と略直交する中心線とがなす所定の角度が、前記遊技機ユニットの天面上の設置位置を通って前記長手方向の一側端側から他側端に向かう平行な直線と、前記設置位置と前記アナウンス用スピーカが対向する隣の遊技機ユニットの対向面側の他側端とを結ぶ直線とがなす角度に、前記アナウンス用スピーカの第２指向角度の半分の角度を加算して得られる角度になるようにしたことを特徴とする遊技場スピーカシステムである。
【００１６】
また、第３の発明は、複数の遊技機を遊技機基台の長手方向に沿って組み付けた遊技機ユニットが複数並列に配置された遊技場内に設置され、背景音楽（ＢＧＭ）及びアナウンスを拡声する遊技場スピーカシステムであって、
第１指向角度の指向性を有し、前記背景音楽の信号を拡声するためのＢＧＭ用スピーカと、
前記第１指向角度よりも狭い角度である第２指向角度の指向性を有し、前記アナウンスの信号を拡声するためのアナウンス用スピーカと、
前記ＢＧＭ用スピーカの前面を取り付ける第１スピーカ取り付け面を有する第１スピーカボックスと、
前記アナウンス用スピーカの前面を取り付ける第２スピーカ取り付け面を有する第２スピーカボックスと、
前記第１及び第２スピーカ取り付け面に対して反対側に取り付けられて前記第１及び第２スピーカボックスを回動可能に連結させる軸とを備え、
当該遊技場スピーカシステムを、前記遊技機ユニットの天面上であってこの遊技機ユニットに対応する遊技機基台の長手方向の一側端側の設置位置に設置させた場合に、前記ＢＧＭ用スピーカの中心を通り且つ前記第１スピーカ取り付け面と略直交する中心線と、前記アナウンス用スピーカの中心を通り且つ前記第２スピーカ取り付け面と略直交する中心線とがなす所定の角度を、前記遊技機ユニットの天面上の設置位置を通って前記長手方向の一側端側から他側端に向かう平行な直線と、前記設置位置と前記アナウンス用スピーカが対向する隣の遊技機ユニットの対向面側の他側端とを結ぶ直線とがなす角度に、前記アナウンス用スピーカの第２指向角度の半分の角度を加算して得られる角度になるように、前記軸を中心に回動して設定したことを特徴とする遊技場スピーカシステムである。
【００１７】
更に、第４の発明は、複数の遊技機を遊技機基台の長手方向に沿って前面側及び背面側に組み付けた遊技機ユニットが複数並列に配置された遊技場内において、各遊技機ユニットの天面上に請求項１〜請求項３のいずれか１項記載の遊技場スピーカシステムを設置するための遊技場スピーカシステムの設置方法であって、
前記遊技場スピーカシステムを、前記各遊技機ユニットの天面上であって該遊技機ユニットに対応する遊技機基台の長手方向の一側端側に設置する場合には、前記ＢＧＭ用スピーカの中心線を前記各遊技機ユニットの長手方向の他側端側に向けると共に、前記アナウンス用スピーカの中心線をこのアナウンス用スピーカと対向する隣の遊技機ユニットの背面側に向ける一方、
前記遊技場スピーカシステムを、前記各遊技機ユニットの天面上であって前記長手方向の他側端側に設置する場合には、前記ＢＧＭ用スピーカの中心線を前記長手方向の一側端側に向けると共に、前記アナウンス用スピーカの中心線をこのアナウンス用スピーカと対向する隣の遊技機ユニットの前記前面側に向けて、前記各遊技機ユニット上の一側端側及び他側端側に前記遊技場スピーカシステムをアレイ状に設置することを特徴とする遊技場スピーカシステムの設置方法である。
【発明の効果】
【００１８】
上記した第１，第２の発明の遊技場スピーカシステムによると、遊技場スピーカシステムを各遊技機ユニットの天面上に設置する際に、ＢＧＭ用スピーカの中心線と、アナウンス用スピーカの中心線とがなす所定の角度を予め設定しているので、ＢＧＭ用スピーカから放出されるＢＧＭ音は遊技場内のフロア全体に明瞭に拡声できると共、アナウンス用スピーカから放出されアナウンス音は遊技場内でこのアナウンス用スピーカと対向した隣の遊技機ユニットに組み付けた遊技機の前に座っている人に明瞭に拡声でき、更に、アナウンスを必要としない人には耳ざわりになることはなくなるので、簡単な構造で且つ性能の良い遊技場スピーカシステムを提供することができる。
【００１９】
また、上記した第３の発明の遊技場スピーカシステムによると、ＢＧＭ用スピーカの中心線と、アナウンス用スピーカの中心線とがなす所定の角度を可変可能に設定しているので、遊技場内で複数の遊技機ユニットの長さ及び幅や、隣り合う遊技機ユニットの間隔など応じて、上記した所定の角度を適宜可変できるので、遊技場スピーカシステムの使用勝手を向上させることができる。
【００２０】
更に、上記した第４の発明の遊技場スピーカシステムの設定方法によると、各遊技機ユニット上の一側端側及び他側端側に遊技場スピーカシステムをアレイ状に設置したために、上記した第１〜第３の発明のいずれかの発明の効果が得られる他に、ＢＧＭ用スピーカ及びアナウンス用スピーカの設置高さが低く人の耳の位置に近いため、距離による音圧の低下が少なく、各音量を下げられる利点があり、更に、前記の特許文献２又は特許文献３のように天井から吊り下げるよりもＢＧＭ用スピーカ及びアナウンス用スピーカが目立たず、遊技場内のデザインや解放感を損なわないなどの利点もある。
【発明を実施するための最良の形態】
【００２１】
以下に本発明に係る遊技場スピーカシステム及び遊技場スピーカシステムの設置方法の一実施例について図１〜図１２を参照して、実施例１，実施例２の順に詳細に説明する。
【実施例１】
【００２２】
図１（ａ），（ｂ）は本発明に係る実施例１の遊技場スピーカシステム及び遊技場スピーカシステムの設置方法を説明するために、実施例１の遊技場スピーカシステムを遊技場内に設置した状態を示した平面図，側面図、
図２は本発明に係る実施例１の遊技場スピーカシステムを示した斜視図、
図３は本発明に係る実施例１の遊技場スピーカシステムを示したブロック図、
図４は本発明に係る実施例１の遊技場スピーカシステムにおいて、ＢＧＭ用スピーカの指向特性を示した図、
図５は本発明に係る実施例１の遊技場スピーカシステムにおいて、アナウンス用スピーカの指向特性を示した図、
図６は本発明に係る実施例１の遊技場スピーカシステムにおいて、ＢＧＭ用スピーカの周波数特性を示した図、
図７は本発明に係る実施例１の遊技場スピーカシステムにおいて、アナウンス用スピーカの周波数特性を示した図、
図８は本発明に係る実施例１の遊技場スピーカシステムにおいて、ＢＧＭ用スピーカの中心線と、アナウンス用スピーカの中心線とがなす角を設定する際の設定条件を模式的に示した図、
図９は本発明に係る実施例１の遊技場スピーカシステムを一部変形させた変形例の遊技場スピーカシステムを示した斜視図である。
【００２３】
図１（ａ），（ｂ）及び図２に示した如く、本発明に係る実施例１の遊技場スピーカシステム１０は、背景音楽（ＢＧＭ）の信号を拡声するために指向角度α°が例えば１６０°に設定されたＢＧＭ用スピーカ１１と、アナウンスの信号を拡声するために指向角度β°がＢＧＭ用スピーカ１１より狭い角度で例えば９０°に設定されたアナウンス用スピーカ１２とを一つのスピーカボックス１３内に取り付けて構成されている。
【００２４】
また、遊技場Ｕ内には、パチンコ台などの複数の遊技機Ｐを遊技機基台ＰＢの長手方向に沿って前面ＰＵｚ側及び背面ＰＵｈ側に組み付けた遊技機ユニット（遊技機島）ＰＵが複数並列に配置されている。
【００２５】
そして、実施例１の遊技場スピーカシステム１０を、各遊技機ユニットＰＵの天面ＰＵｔ上に設置した場合に、とくに、アナウンス用スピーカ１２と対向する隣の遊技機ユニットＰＵの遊技機Ｐの前に座っている人にアナウンスを明瞭に聴かせることができるように構成したものである。
【００２６】
この際、複数の遊技機Ｐを遊技機基台ＰＢの長手方向に沿って組み付けた遊技機ユニットＰＵの外形寸法は、長手方向の長さＬが例えば１４ｍ、短手方向の幅Ｂが例えば１ｍ、高さＨ１が例えば２ｍにそれぞれ設定されており、遊技機ユニットＰＵの高さＨ１は遊技場Ｕ内の床面から天井までの高さＨ２の半分程度になっている。
【００２７】
また、各遊技機ユニットＰＵは遊技場Ｕ内で通路空間Ｓを挟んで互いに対向して複数並列に配置されており、隣り合う遊技機ユニットＰＵの間の間隔Ｋは例えば１．６ｍに設定されている。
【００２８】
尚、上記した各寸法は一例であって、遊技場Ｕ内の床面積に応じて適宜設定されるものである。
【００２９】
この際、図３に示したように、ＢＧＭ信号は、ＢＧＭ用アンプ１４を通ってＢＧＭ用スピーカ１１に入力され、一方、アナウンス信号は、アナウンス用アンプ１５を通ってアナウンス用スピーカ１２に入力されているので、両信号はそれぞれ独立して２系統で音声処理がなされるので、ＢＧＭ信号とアナウンス信号とが確実に分離されて両スピーカ１１，１２からそれぞれ放出されることになる。
【００３０】
図２において、本発明に係る実施例１の遊技場スピーカシステム１０の基台となるスピーカボックス１３は、木材などを用いて直方形状の箱体に形成されており、底板１３ａと天板１３ｂとの間の外周部位が第１〜第４側板１３ｃ〜１３ｆにより囲まれて構成されていると共に、この内部が仕切り板１３ｇによって仕切られて、内部に２分割した第１，第２スピーカ用空間ＳＫ１，ＳＫ２が形成されている。
【００３１】
この際、スピーカボックス１３内の仕切り板１３ｇは、第１側板１３ｃと第２側板１３ｄが接合する接合部位と、第３側板１３ｅと第４側板１３ｆとが接合する接合部位との間の内部に設けられている。
【００３２】
そして、上記したＢＧＭ用スピーカ１１は、ＢＧＭ音を放出する前面側がスピーカボックス１３の第１〜第４側板１３ｃ〜１３ｆのうちで第１スピーカ取り付け面となる第１側板１３ｃに取り付けられた状態でスピーカボックス１３の第１スピーカ用空間ＳＫ１内に装着されていると共に、第１側板１３ｃに対して右後方に隣接する第４側板１３ｆにＢＧＭ信号用入力端子１６が取り付けられている。
【００３３】
一方、上記したアナウンス用スピーカ１２は、アナウンス音を放出する前面側が第１側板１３ｃに対して左前方で水平方向に隣接した第２スピーカ取り付け面となる第２側板１３ｄに取り付けられた状態でスピーカボックス１３の第２スピーカ用空間ＳＫ２内に装着されていると共に、第２側板１３ｄに対して左後方に隣接する第３側板１３ｅにアナウンス信号用入力端子１７が取り付けられている。
【００３４】
また、ＢＧＭ用スピーカ１１の指向角度α°は、遊技場Ｕ（図１）内の多数の人にＢＧＭ音を聴かせるために図４に示したように例えば１６０°に設定されている。一方、アナウンス用スピーカ１２の指向角度β°は、遊技場スピーカシステム１０を一つの遊技機ユニットＰＵ（図１）上に設置した場合に、アナウンス用スピーカ１２と対向する隣の遊技機ユニットＰＵの遊技機Ｐの前に座っている人にアナウンス音を聴かせるために図５に示したように例えば９０°に設定されている。
【００３５】
従って、ＢＧＭ用スピーカ１１の指向角度α°に対してアナウンス用スピーカ１２の指向角度β°が狭く設定されていることになる。
【００３６】
尚、上記した指向角度とは、一般的に、音源から放出された音波の音圧が正面軸上で０ｄＢである場合に、この正面軸に対して音圧が−６ｄＢが減衰した時の角度を言うものである。
【００３７】
また、ＢＧＭ用スピーカ１１の周波数特性は、アナウンス用スピーカ１２の周波数特性よりも広帯域になっており、背景音楽を明瞭に拡声するために図６に示したように４０Ｈｚ〜２０ＫＨｚ程度の帯域をもっている。一方、アナウンス用スピーカ１２の周波数特性は、アナウンス音を明瞭に拡声するために図７に示したように７０Ｈｚ〜１５ＫＨｚ程度の帯域をもっている。
【００３８】
更に、ＢＧＭ用スピーカ１１の中心を通り、且つスピーカボックス１３の第１側板（第１スピーカ取り付け面）１３ｃと略直交する中心線ＯＬ１と、アナウンス用スピーカ１２の中心を通り、且つスピーカボックス１３の第２側板（第２スピーカ取り付け面）１３ｄと略直交する中心線ＯＬ２とがなす所定の角度θ°は、図８に示したように、遊技場スピーカシステム１０を遊技場Ｕ内に配置した一つの遊技機ユニットＰＵの天面ＰＵｔ上で一側端ＰＵａ側に設置した設置位置Ｏに応じて設定されている。
【００３９】
具体的に図８を用いて説明すると、遊技場スピーカシステム１０を一つの遊技機ユニットＰＵの天面ＰＵｔ上で長手方向の一側端ＰＵａ側に設置した場合に、ＢＧＭ用スピーカ１１の中心線ＯＬ１とアナウンス用スピーカ１２の中心線ＯＬ２とが交差する点を設置位置Ｏとし、且つ、ＢＧＭ用スピーカ１１の中心線ＯＬ１を遊技機ユニットＰＵ上で長手方向（図示では水平方向）の他側端ＰＵｂに向かわせるように予め設定し、且つ、このＢＧＭ用スピーカ１１の中心線ＯＬ１から設置位置Ｏを中心にして所定の角度θ°隔ててアナウンス用スピーカ１２の中心線ＯＬ２がこのアナウンス用スピーカ１２と対向する隣の遊技機ユニットＰＵに向くように設定する。
【００４０】
尚、遊技場スピーカシステム１０を一つの遊技機ユニットＰＵの天面ＰＵｔ上で長手方向の他側端ＰＵｂ側に設置した場合には、ここでの図示を省略するが、ＢＧＭ用スピーカ１１の中心線ＯＬ１を遊技機ユニットＰＵ上で長手方向の一側端ＰＵａに向かわせるように予め設定し、且つ、このＢＧＭ用スピーカ１１の中心線ＯＬ１から設置位置を中心にして所定の角度θ°隔ててアナウンス用スピーカ１２の中心線ＯＬ２がこのアナウンス用スピーカ１２と対向する隣の遊技機ユニットＰＵに向くように設定すれば良い。
【００４１】
この際、遊技場スピーカシステム１０を、長手方向の長さＬが例えば１４ｍに設定された一つの遊技機ユニットＰＵの天面ＰＵｔ上で長手方向の一側端ＰＵａから長さＬ１が例えば１ｍ隔てた設置位置Ｏに設置した場合に、この設置位置Ｏから一つの遊技機ユニットＰＵの長手方向の他側端ＰＵｂまでの長さＬ２は１３ｍになる。
【００４２】
また、遊技場スピーカシステム１０を、短手方向の幅Ｂが例えば１ｍに設定された一つの遊技機ユニットＰＵの天面ＰＵｔ上で短手方向の前面ＰＵｚから幅Ｂ１が例えば０．５ｍ隔てた設置位置Ｏに設置し、且つ、隣り合う遊技機ユニットＰＵの間隔Ｋを例えば１．６ｍに設定した場合に、この設置位置Ｏからアナウンス用スピーカ１２と対向する隣の遊技機ユニットＰＵの対向面となる背面ＰＵｈまでの間隔Ｋ１は、Ｋ１＝Ｋ＋Ｂ１＝２．１ｍになる。
【００４３】
また、ＢＧＭ用スピーカ１１の中心線ＯＬ１は、前述したように、遊技機ユニットＰＵの天面ＰＵｔ上の設置位置Ｏを通って長手方向と平行に他側端ＰＵｂに向いているので、ＢＧＭ用スピーカ１１の中心線ＯＬ１と、一つの遊技機ユニットＰＵ上の設置位置Ｏと隣の遊技機ユニットＰＵの背面ＵＰｈの他側端ＰＵｂとを結ぶ直線ＯＬ３とがなす角度をδ°と設定すると、角度δ°は下記の式１によって算出できる。
［数１］
δ°＝ｔａｎ−１（Ｋ１／Ｌ２）＝ｔａｎ−１（２．１／１３）＝９．２°…（式１）
となる。
【００４４】
また、アナウンス用スピーカ１２の中心線ＯＬ２は、上記した直線ＯＬ３からこのアナウンス用スピーカ１２の指向角度β°＝９０°の半分の角度（β°／２＝４５°）だけ隣の遊技機ユニットＰＵの背面ＰＵｈ側に向かうので、ＢＧＭ用スピーカ１１の中心線ＯＬ１とアナウンス用スピーカ１２の中心線ＯＬ２とがなす所定の角度θ°は、下記の式２によって算出できる。
［数２］
θ°＝δ°＋（β°／２）＝９．２°＋４５°＝５４．２°≒５５°……（式２）
となる。
【００４５】
従って、ＢＧＭ用スピーカ１１の中心線ＯＬ１とアナウンス用スピーカ１２の中心線ＯＬ２とがなす所定の角度θ°は、一つの遊技機ユニットＰＵの天面ＰＵｔ上の一側端側の設置位置Ｏを通って長手方向の一側端側から他側端に向かう平行な直線（ＯＬ１）と、一つの遊技機ユニットＰＵの天面ＰＵｔ上の設置位置Ｏと隣の遊技機ユニットＰＵの背面ＵＰｈの他側端ＰＵｂとを結ぶ直線ＯＬ３とがなす角度δ°に、アナウンス用スピーカ１２の指向角度β°＝９０°の半分の角度（β°／２＝４５°）を加算することにより設定できものである。
【００４６】
尚、ＢＧＭ用スピーカ１１の中心線ＯＬ１とアナウンス用スピーカ１２の中心線ＯＬ２とがなす所定の角度θ°は、この実施例１のように遊技場Ｕ内で上記した各数値を適用した場合に例えば５５°が最適になるものであるが、これに限ることなく、上記した式１及び式２を満たすように各数値を変更することで適宜に設定できるものである。
【００４７】
次に、本発明に係る実施例１の遊技場スピーカシステムの設置方法について先に示した図１（ａ），（ｂ）を用いて説明すると、前述したように、遊技場Ｕ内には複数の遊技機ユニットＰＵが並列に配置され、且つ、各遊技機ユニットＰＵの前面ＰＵｚ側及び背面ＰＵｈ側に複数の遊技機Ｐが長手方向に組み付けられているので、各遊技機ユニットＰＵの前面ＰＵｚ側及び背面ＰＵｈ側の遊技機Ｐの前に座っている人にアナウンス音を明瞭に聴かせるためには、各遊技機ユニットＰＵの長手方向の一側端ＰＵａ側及び他側端ＰＵｂ側に遊技場スピーカシステム１０をそれぞれ設置する必要がある。
【００４８】
そこで、ＢＧＭ用スピーカ１１の中心線ＯＬ１と、アナウンス用スピーカ１２の中心線ＯＬ２とがなす所定の角度θ°を例えば５５°に設定した上で、この遊技場スピーカシステム１０を、各遊技機ユニットＰＵの天面ＰＵｔ上で長手方向の一側端ＰＵａ側に設置する場合には、ＢＧＭ用スピーカ１１の中心線ＯＬ１を各遊技機ユニットＰＵの長手方向の他側端ＰＵｂ側に向けると共に、アナウンス用スピーカ１２の中心線ＯＬ２をこのアナウンス用スピーカ１２と対向する隣の遊技機ユニットＰＵの背面ＰＵｈ側に向ける。
【００４９】
一方、遊技場スピーカシステム１０を、各遊技機ユニットＰＵの天面ＰＵｔ上で長手方向の他側端ＰＵｂ側に設置する場合には、ＢＧＭ用スピーカ１１の中心線ＯＬ１を各遊技機ユニットＰＵの一側端ＰＵａ側に向けると共に、アナウンス用スピーカ１２の中心線ＯＬ２をこのアナウンス用スピーカ１２と対向する隣の遊技機ユニットＰＵの前面ＰＵｚ側に向ける。
【００５０】
従って、各遊技機ユニットＰＵの天面ＰＵｔ上で長手方向の一側端ＰＵａ側と他側端ＰＵｂ側とでは遊技場スピーカシステム１０の向きが反転していると共に、一側端ＰＵａ側と他側端ＰＵｂ側とに遊技場スピーカシステム１０がアレイ状に設置されることになる。
【００５１】
上記した実施例１の遊技場スピーカシステム１０及び遊技場スピーカシステムの設置方法によれば、ＢＧＭ用スピーカ１１から放出されるＢＧＭ音は遊技場Ｕ内のフロア全体に明瞭に拡声できると共、アナウンス用スピーカ１２から放出されアナウンス音は遊技場Ｕ内でこのアナウンス用スピーカ１２と対向した隣の遊技機ユニットＰＵに組み付けた遊技機Ｐの前に座っている人に明瞭に拡声でき、更に、アナウンスを必要としない人には耳ざわりになることはなくなるので、簡単な構造で且つ性能の良い実施例１の遊技場スピーカシステム１０を提供することができる。
【００５２】
また、各遊技機ユニットＰＵの天面ＰＵｔ上の一側端ＰＵａ側に一方の遊技場スピーカシステム１０を設置し、且つ、他側端ＰＵｂ側に他方の遊技場スピーカシステム１０を設置することで、遊技機ユニットＰＵの遊技機Ｐの前に座っている人に近い高さからＢＧＭ音とアナウンス音とを拡声することにより、ＢＧＭ用スピーカ１１及びアナウンス用スピーカ１２の設置高さが低く人の耳の位置に近いため、距離による音圧の低下が少なく、各音量を下げられる利点があり、更に、前記の特許文献２又は特許文献３のように天井から吊り下げるよりも両スピーカ１１，１２が目立たず、遊技場Ｕ内のデザインや解放感を損なわないなどの利点もある。
【００５３】
次に、本発明に係る実施例１の遊技場スピーカシステム１０を一部変形させた変形例について、図９を用いて簡略に説明する。
【００５４】
図９に示した如く、実施例１を一部変形させた変形例の遊技場スピーカシステム１０’では、先に図２を用いて説明した一つのスピーカボックス１３内に形成した第１スピーカ用空間ＳＫ１と第２スピーカ用空間ＳＫ２とを分離して、ＢＧＭ用スピーカ１１を内蔵した第１スピーカボックス１３Ａと、アナウンス用スピーカ１２を内蔵した第２スピーカボックス１３Ｂとをそれぞれ別々の仕切り板１３ｇ’，１３ｇ’で密閉して三角形状の箱体に形成すると共に、ＢＧＭ用スピーカ１１の前面を取り付けた第１スピーカ取り付け面１３ｃ及びアナウンス用スピーカ１２の前面を取り付けた第２スピーカ取り付け面１３ｄに対して反対側の各頂点部位に回動中心となる軸１８ａを有するヒンジ１８を取り付けて、このヒンジ１８の軸１８ａを中心にして第１，第２スピーカボックス１３Ａ，１３Ｂをそれぞれ回動可能に連結させている。
【００５５】
従って、ＢＧＭ用スピーカ１１の中心線ＯＬ１と、アナウンス用スピーカ１２の中心線ＯＬ１とがなす所定の角度θ°を、ヒンジ１８の軸１８ａを中心にして回動させることで適宜な値に可変可能に設定できる。
【００５６】
この結果、変形例の遊技場スピーカシステム１０’を適用すれば、遊技場Ｕ内で複数の遊技機ユニットＰＵの長さＬ及び幅Ｂや、隣り合う遊技機ユニットＰＵの間隔Ｋなどに応じて、ＢＧＭ用スピーカ１１の中心線ＯＬ１と、アナウンス用スピーカ１２の中心線ＯＬ１とがなす所定の角度θ°を適宜可変できるので、変形例の遊技場スピーカシステム１０’の使用勝手を向上させることができる。
【実施例２】
【００５７】
図１０（ａ），（ｂ）は本発明に係る実施例２の遊技場スピーカシステム及び遊技場スピーカシステムの設置方法を説明するために、実施例２の遊技場スピーカシステムを遊技場内に設置した状態を示した平面図，側面図、
図１１は本発明に係る実施例２の遊技場スピーカシステムを示した斜視図、
図１２は本発明に係る実施例２の遊技場スピーカシステムを一部変形させた変形例の遊技場スピーカシステムを示した斜視図である。
【００５８】
図１０（ａ），（ｂ）及び図１１に示した本発明に係る実施例２の遊技場スピーカシステム２０は、先に説明した本発明に係る実施例１の遊技場スピーカシステム１０の構成と一部を除いて同様の構成であり、ここでは説明の便宜上、先に示した構成部材に対しては同一の符号を付し、且つ、先に示した構成部材は必要に応じて適宜説明し、実施例１と異なる構成部材に新たな符号を付して異なる点を中心に説明する。
【００５９】
図１０（ａ），（ｂ）及び図１１に示した如く、本発明に係る実施例２の遊技場スピーカシステム２０は、背景音楽（ＢＧＭ）の信号を拡声するために指向角度α°が例えば１６０°に設定されたＢＧＭ用スピーカ１１の前面を第１スピーカボックス２１の第１スピーカ取り付け面２１ｃに取り付け、且つ、アナウンスの信号を拡声するために指向角度β°がＢＧＭ用スピーカ１１より狭い角度で例えば９０°に設定されたアナウンス用スピーカ１２を第２スピーカボックス２２の第２スピーカ取り付け面２２ｃに内に取り付けて、第１，第２スピーカボックス２１，２２の第１，第２スピーカ取り付け面２１ｃ，２２ｃ同士が互いに交差するように上下方向（垂直方向）に一体的に積層して構成されている。
【００６０】
また、遊技場Ｕ内には、実施例１と同様に、パチンコ台などの複数の遊技機Ｐを遊技機基台ＰＢの長手方向に沿って前面ＰＵｚ側及び背面ＰＵｈ側に組み付けた遊技機ユニット（遊技機島）ＰＵが複数並列に配置されている。
【００６１】
そして、実施例２の遊技場スピーカシステム２０を、各遊技機ユニットＰＵの天面ＰＵｔ上に設置した場合に、とくに、アナウンス用スピーカ１２と対向する隣の遊技機ユニットＰＵの遊技機Ｐの前に座っている人にアナウンスを明瞭に聴かせることができるように構成したものである。
【００６２】
尚、この実施例２では、ＢＧＭ用スピーカ１１を内蔵した第１スピーカボックス２１上にアナウンス用スピーカ１２を内蔵した第２スピーカボックス２２を積層しているが、これに限ることなく、第２スピーカボックス２２上に第１スピーカボックス２１を積層させてもよい。
【００６３】
この際、遊技場Ｕ内に配置される遊技場ユニットＰＵは、実施例１と同様に、長手方向の長さが例えば１４ｍ、短手方向の幅が例えば１ｍ、高さが例えば２ｍにそれぞれ設定されており、且つ、隣り合う遊技機ユニットＰＵの間の間隔は例えば１．６ｍに設定されている。
【００６４】
ここで、本発明に係る実施例２の遊技場スピーカシステム２０において、実施例１に対して異なる点を説明すると、上記した第１，第２スピーカボックス２１，２２をそれぞれ別体で形成して、ＢＧＭ用スピーカ１１の中心線ＯＬ１とアナウンス用スピーカ１２の中心線ＯＬ２とがなす所定の角度θ°を例えば５５°に設定した上で上下に一体的に積層した点のみが異なるだけである。
【００６５】
具体的に図１１を用いて説明すると、本発明に係る実施例２の遊技場スピーカシステム２０において、下方に設置される第１スピーカボックス２１は、木材などを用いて直方形状の箱体に形成されており、底板２１ａと天板２１ｂとの間の外周部位が第１〜第４側板２１ｃ〜２１ｆにより囲まれて密閉されている。
【００６６】
また、第１スピーカボックス２１の上方に設置される第２スピーカボックス２２も、木材などを用いて直方形状の箱体に形成されており、底板２２ａと天板２２ｂとの間の外周部位が第１〜第４側板２２ｃ〜２２ｆにより囲まれて密閉されている。
【００６７】
そして、上記したＢＧＭ用スピーカ１１は、ＢＧＭ音を放出する前面側が第１スピーカボックス２１の第１スピーカ取り付け面となる第１側板２１ｃに取り付けられた状態で第１スピーカボックス２１内に装着されていると共に、第１側板２１ｃと対向する第３側板２１ｅにＢＧＭ信号用入力端子１６が取り付けられている。
【００６８】
一方、上記したアナウンス用スピーカ１２は、アナウンス音を放出する前面側が第２スピーカボックス２２の第２スピーカ取り付け面となる第１側板２２ｃに取り付けられた状態で第２スピーカボックス２２内に装着されていると共に、第１側板２２ｃに対して左後方に隣接する第２側板２２ｄにアナウンス信号用入力端子１７が取り付けられている。
【００６９】
更に、実施例１と同様に複数の遊技機ユニットＰＵを遊技場Ｕ内に配置して、ＢＧＭ用スピーカ１１を内蔵した第１スピーカボックス２１の上に、アナウンス用スピーカ１２を内蔵した第２スピーカボックス２２を積層する際に、ＢＧＭ用スピーカ１１の中心を通り且つ第１スピーカボックス２１の第１側板（第１スピーカ取り付け面）２１ｃと略直交する中心線ＯＬ１と、アナウンス用スピーカ１２の中心を通り且つ第２スピーカボックス２２の第１側板（第２スピーカ取り付け面）２２ｃと略直交する中心線ＯＬ２とがなす所定の角度θ°を、先に図８を用いて説明したと同様に、遊技場スピーカシステム２０を遊技場Ｕ内に設置した一つの遊技機ユニットＰＵの天面ＰＵｔ上で一側端ＰＵａ側に設置した設置位置Ｏに応じて設定しており、先に説明した式１及び式２から例えば５５°に予め設定した上で、第１，第２スピーカボックス２１，２２同士を不図示の接着剤などを用いて固着している。
【００７０】
次に、本発明に係る実施例２の遊技場スピーカシステムの設置方法について先に示した図１０（ａ），（ｂ）を用いて説明すると、実施例１と同様に、遊技場Ｕ内には複数の遊技機ユニットＰＵが並列に配置され、且つ、各遊技機ユニットＰＵの前面ＰＵｚ側及び背面ＰＵｈ側に複数の遊技機Ｐが長手方向に組み付けられているので、各遊技機ユニットＰＵの前面ＰＵｚ側及び背面ＰＵｈ側の遊技機Ｐの前に座っている人にアナウンス音を明瞭に聴かせるためには、各遊技機ユニットＰＵの長手方向の一側端ＰＵａ側及び他側端ＰＵｂ側に遊技場スピーカシステム２０をそれぞれ設置する必要がある。
【００７１】
そこで、ＢＧＭ用スピーカ１１の中心線ＯＬ１と、アナウンス用スピーカ１２の中心線ＯＬ２とがなす所定の角度θ°を例えば５５°に設定した上で、この遊技場スピーカシステム２０を、各遊技機ユニットＰＵの天面ＰＵｔ上で長手方向の一側端ＰＵａ側に設置する場合には、ＢＧＭ用スピーカ１１の中心線ＯＬ１を各遊技機ユニットＰＵの長手方向の他側端ＰＵｂ側に向けると共に、アナウンス用スピーカ１２の中心線ＯＬ２をこのアナウンス用スピーカ１２と対向する隣の遊技機ユニットＰＵの背面ＰＵｈ側に向けている。
【００７２】
一方、遊技場スピーカシステム２０を、各遊技機ユニットＰＵの天面ＰＵｔ上で長手方向の他側端ＰＵｂ側に設置する場合には、ＢＧＭ用スピーカ１１の中心線ＯＬ１を各遊技機ユニットＰＵの一側端ＰＵａ側に向けると共に、アナウンス用スピーカ１２の中心線ＯＬ２をこのアナウンス用スピーカ１２と対向する隣の遊技機ユニットＰＵの前面ＰＵｚ側に向けている。
【００７３】
従って、各遊技機ユニットＰＵの天面ＰＵｔ上で長手方向の一側端ＰＵａ側と他側端ＰＵｂ側とでは遊技場スピーカシステム２０の向きが反転していると共に、一側端ＰＵａ側と他側端ＰＵｂ側とに遊技場スピーカシステム２０がアレイ状に設置されることになる。
【００７４】
上記した実施例２の遊技場スピーカシステム２０及び遊技場スピーカシステムの設置方法によれば、ＢＧＭ用スピーカ１１から放出されるＢＧＭ音は遊技場Ｕ内のフロア全体に明瞭に拡声できると共、アナウンス用スピーカ１２から放出されアナウンス音は遊技場Ｕ内でこのアナウンス用スピーカ１２と対向した隣の遊技機ユニットＰＵに組み付けた遊技機Ｐの前に座っている人に明瞭に拡声でき、更に、アナウンスを必要としない人には耳ざわりになることはなくなるので、簡単な構造で且つ性能の良い実施例２の遊技場スピーカシステム２０を提供することができる。
【００７５】
また、各遊技機ユニットＰＵの天面ＰＵｔ上の一側端ＰＵａ側に一方の遊技場スピーカシステム２０を設置し、且つ、他側端ＰＵｂ側に他方の遊技場スピーカシステム２０を設置することで、遊技機ユニットＰＵの遊技機Ｐの前に座っている人に近い高さからＢＧＭ音とアナウンス音とを拡声することにより、ＢＧＭ用スピーカ１１及びアナウンス用スピーカ１２の設置高さが低く人の耳の位置に近いため、距離による音圧の低下が少なく、各音量を下げられる利点があり、更に、引用文献２又は引用文献３のように天井から吊り下げるよりも両スピーカ１１，１２が目立たず、遊技場Ｕ内のデザインや解放感を損なわないなどの利点もある。
【００７６】
次に、本発明に係る実施例２の遊技場スピーカシステム２０を一部変形させた変形例について、図１２を用いて簡略に説明する。
【００７７】
図１２に示した如く、実施例２を一部変形させた変形例の遊技場スピーカシステム２０’では、ＢＧＭ用スピーカ１１を内蔵した第１スピーカボックス２１Ａと、アナウンス用スピーカ１２を内蔵した第２スピーカボックス２２Ａとを上下に積層する際に、ＢＧＭ用スピーカ１１の前面を取り付けた第１スピーカボックス２１Ａの第１スピーカ取り付け面２１ｃ及びアナウンス用スピーカ１２の前面を取り付けた第２スピーカボックス２２Ａの第２スピーカ取り付け面２２ｃに対して反対側の各頂点部位に回動中心となる軸２３を取り付けて、この軸２３を中心にして第１，第２スピーカボックス２１Ａ，２２Ａ同士を回動可能に連結させている。
【００７８】
従って、ＢＧＭ用スピーカ１１の中心線ＯＬ１と、アナウンス用スピーカ１２の中心線ＯＬ１とがなす所定の角度θ°を、軸２３を中心にして回動させることで適宜な値に可変可能に設定できる。
【００７９】
この結果、変形例の遊技場スピーカシステム２０’を適用すれば、遊技場Ｕ内で複数の遊技機ユニットＰＵの長さＬ及び幅Ｂや、隣り合う遊技機ユニットＰＵの間隔Ｋなどに応じて、ＢＧＭ用スピーカ１１の中心線ＯＬ１と、アナウンス用スピーカ１２の中心線ＯＬ１とがなす所定の角度θ°を適宜可変できるので、変形例の遊技場スピーカシステム２０’の使用勝手を向上させることができる。
【図面の簡単な説明】
【００８０】
【図１】（ａ），（ｂ）は本発明に係る実施例１の遊技場スピーカシステム及び遊技場スピーカシステムの設置方法を説明するために、実施例１の遊技場スピーカシステムを遊技場内に設置した状態を示した平面図，側面図である。
【図２】本発明に係る実施例１の遊技場スピーカシステムを示した斜視図である。
【図３】本発明に係る実施例１の遊技場スピーカシステムを示したブロック図である。
【図４】本発明に係る実施例１の遊技場スピーカシステムにおいて、ＢＧＭ用スピーカの指向特性を示した図である。
【図５】本発明に係る実施例１の遊技場スピーカシステムにおいて、アナウンス用スピーカの指向特性を示した図である。
【図６】本発明に係る実施例１の遊技場スピーカシステムにおいて、ＢＧＭ用スピーカの周波数特性を示した図である。
【図７】本発明に係る実施例１の遊技場スピーカシステムにおいて、アナウンス用スピーカの周波数特性を示した図である。
【図８】本発明に係る実施例１の遊技場スピーカシステムにおいて、ＢＧＭ用スピーカの中心線と、アナウンス用スピーカの中心線とがなす角を設定する際の設定条件を模式的に示した図である。
【図９】本発明に係る実施例１の遊技場スピーカシステムを一部変形させた変形例の遊技場スピーカシステムを示した斜視図である。
【図１０】（ａ），（ｂ）は本発明に係る実施例２の遊技場スピーカシステム及び遊技場スピーカシステムの設置方法を説明するために、実施例２の遊技場スピーカシステムを遊技場内に設置した状態を示した平面図，側面図である。
【図１１】本発明に係る実施例２の遊技場スピーカシステムを示した斜視図である。
【図１２】本発明に係る実施例２の遊技場スピーカシステムを一部変形させた変形例の遊技場スピーカシステムを示した斜視図である。
【図１３】従来の遊技場アナウンスシステムを示した斜視図である。
【符号の説明】
【００８１】
１０…遊技場スピーカシステム、
１０’…遊技場スピーカシステム、
１１…ＢＧＭ用スピーカ、１２…アナウンス用スピーカ、
１３…スピーカボックス、１３ａ…底板、１３ｂ…天板、
１３ｃ…第１スピーカ取り付け面（第１側板）、
１３ｄ…第２スピーカ取り付け面（第２側板）、
１３ｅ…第３側板、１３ｆ…第４側板、１３ｇ…仕切り板、
１４…ＢＧＭ用アンプ、１５…アナウンス用アンプ、
１６…ＢＧＭ信号用入力端子、１７…アナウンス信号用入力端子、
１８…ヒンジ、１８ａ…軸、
２０…遊技場スピーカシステム、
２０’…遊技場スピーカシステム、
２１，２１Ａ…第１スピーカボックス、２１ａ…底板、２１ｂ…天板、
２１ｃ…第１スピーカ取り付け面（第１側板）、２１ｄ…第２側板、
２１ｅ…第３側板、２１ｆ…第４側板、
２２，２２Ａ…第２スピーカボックス、２２ａ…底板、２２ｂ…天板、
２２ｃ…第２スピーカ取り付け面（第１側板）、２２ｄ…第２側板、
２２ｅ…第３側板、２２ｆ…第４側板、
２３…軸、
α°…ＢＧＭ用スピーカの指向角度、β°…アナウンス用スピーカの指向角度、
θ°…ＢＧＭ用スピーカの中心線とアナウンス用スピーカの中心線とがなす所定の角度、
δ°…ＢＧＭ用スピーカの中心線と、一つの遊技機ユニット上で一側端側の設置位置と、
隣の遊技機ユニットの背面の他側端とを結ぶ直線とがなす角度、
Ｏ…一つの遊技機ユニット上で遊技場スピーカシステムを設置する一側端側の設置位置、
ＯＬ１…ＢＧＭ用スピーカの中心線、
ＯＬ２…アナウンス用スピーカの中心線、
ＳＫ１，ＳＫ２…第１，第２スピーカ用空間、
Ｐ…遊技機、ＰＢ…遊技機基台、ＰＵ…遊技機ユニット（遊技機島）、Ｕ…遊技場、
Ｂ…遊技機ユニットの幅、Ｌ…遊技機ユニットの長さ、
ＰＵａ…遊技機ユニットの長手方向の一側端、
ＰＵｂ…遊技機ユニットの長手方向の他側端、
ＰＵｚ…遊技機ユニットの短手方向の前面、
ＰＵｈ…遊技機ユニットの短手方向の背面、
ＰＵｔ…遊技機ユニットの天面、
Ｌ１…一つの遊技機ユニットの天面上で長手方向の一側端から設置位置までの長さ、
Ｌ２…設置位置から一つの遊技機ユニットの長手方向の他側端までの長さ、
Ｋ…隣り合う遊技機ユニットの間隔。
【図１】
2009125245.tif 000003
【図２】
2009125245.tif 000004
【図３】
2009125245.tif 000005
【図４】
2009125245.tif 000006
【図５】
2009125245.tif 000007
【図６】
2009125245.tif 000008
【図７】
2009125245.tif 000009
【図８】
2009125245.tif 000010
【図９】
2009125245.tif 000011
【図１０】
2009125245.tif 000012
【図１１】
2009125245.tif 000013
【図１２】
2009125245.tif 000014
【図１３】
2009125245.tif 000015